(57)【特許請求の範囲】
【請求項１】
高周波回路基板（５）を収納する電子機器ケース（１）であって，
前記電子機器ケース（１）は，内部に上記高周波回路基板（５）を備えさせていて、かつ、導電性を有する材料で前面が開口する状態に形成されている箱状のケース本体（２）と，導電性を有する材料でケース本体（２）の前面の開口面に対して開閉を可能にかぶせ付け得るように形成されているカバー（４）とからなり，
前記ケース本体（２）の内部に備えさせた上記高周波回路基板（５）の周囲には、前面側と背面側を開口した電気的に導通可能な材料で形成された枠体（３）を上記高周波回路基板（５）の周囲を囲む状態でケース本体（２）の内部に配置し，
前記ケース本体（２）の背面板部（２１）の内面側には上記枠体（３）の背面側の開口端（３６）の形状に相対するように凹溝（２ｂ）を備えさせておき、その凹溝（２ｂ）には前記枠体（３）の背面側の開口端（３６）を電気的な導通を可能に嵌合させ、
前記カバー（４）の前板部（４２ａ）の内面側には上記枠体（３）の前面側の開口端（３５）の形状に相対するように凹溝（４２ｅ）を備えさせておき、前記枠体（３）の前面側の開口端（３５）とは、上記の前面が開口されている箱状のケース本体（２）に対して、上記導電性を有する材料で形成されたカバー（４）を、箱状のケース本体（２）の前面開口部を閉ざすようにかぶせ付けることにより、前記電気的に導通可能な材料で形成された枠体（３）の前面側の開口端（３５）が前記カバー（４）の前板部（４２ａ）の内面側の上記凹溝（４２ｅ）に電気的な導通を可能に嵌合して、上記高周波回路基板（５）の周囲と前面側と背面側の全周をシールドするようにしてあることを特徴とする電子機器用ケース。
【発明の詳細な説明】
【０００１】
【発明の属する技術分野】
本発明は，主にアンテナに接続するテレビ共同受信用ブースター，コンバーター，ミキサーなどの電子機器に用いるケースに関する。
【０００２】
【従来の技術】
従来，電子機器用ケース（以下，ケースと略称する）として，ケース内の高周波回路がケース外からの種々の雑音によって影響を受けないようにするとともに，ケース外へ不用意に高周波信号を漏洩しないようにするため，ケース全体を金属性材料でシールドを可能な構造に形成したものや，ケースを合成樹脂製材料で形成するとともに，高周波回路基板をシールド可能に金属性材料で包んでユニット化したものが知られている。
【０００３】
【発明が解決しようとする課題】
しかし，従来の金属性ケースは錆の問題がある。特に金属性ケースでシールドを可能な構造にしたものは錆びると，カバーを開いて内部の電子機器を点検・整備することが困難になる。
一方，高周波回路基板をユニット化したケースの場合は，製造工程の増加を招くし，回路基板のメンテナンスが困難であるといった問題があった。
本発明は，シールド効果が高く，かつ，メンテナンスが容易な電子機器用ケースを提供することにある。
【０００４】
【課題を解決するための手段】
本発明は，高周波回路基板（５）を収納する電子機器ケース（１）であって，
前記電子機器ケース（１）は，内部に上記高周波回路基板（５）を備えさせていて、かつ、導電性を有する材料で前面が開口する状態に形成されている箱状のケース本体（２）と，導電性を有する材料でケース本体（２）の前面の開口面に対して開閉を可能にかぶせ付け得るように形成されているカバー（４）とからなり，
前記ケース本体（２）の内部に備えさせた上記高周波回路基板（５）の周囲には、前面側と背面側を開口した電気的に導通可能な材料で形成された枠体（３）を上記高周波回路基板（５）の周囲を囲む状態でケース本体（２）の内部に配置し，
前記ケース本体（２）の背面板部（２１）の内面側には上記枠体（３）の背面側の開口端（３６）の形状に相対するように凹溝（２ｂ）を備えさせておき、その凹溝（２ｂ）には前記枠体（３）の背面側の開口端（３６）を電気的な導通を可能に嵌合させ、
前記カバー（４）の前板部（４２ａ）の内面側には上記枠体（３）の前面側の開口端（３５）の形状に相対するように凹溝（４２ｅ）を備えさせておき、前記枠体（３）の前面側の開口端（３５）とは、上記の前面が開口されている箱状のケース本体（２）に対して、上記導電性を有する材料で形成されたカバー（４）を、箱状のケース本体（２）の前面開口部を閉ざすようにかぶせ付けることにより、前記電気的に導通可能な材料で形成された枠体（３）の前面側の開口端（３５）が前記カバー（４）の前板部（４２ａ）の内面側の上記凹溝（４２ｅ）に電気的な導通を可能に嵌合して、上記高周波回路基板（５）の周囲と前面側と背面側の全周をシールドするようにした。
【０００５】
【発明の実施の形態】
本発明を具体化した実施形態の１例を，図面を基に詳細に説明する。図１は電子機器ケースとして例示するテレビ共同受信用のブースターを一部分解した斜視図を示す。図２はテレビ受信用ブースターの斜視図を示す。図３は高周波回路基板を納めた枠体の斜視図を示す。図４は図２におけるＡ−Ａ'の断面図を示す。図５は図２におけるＢ−Ｂ'の断面図を示す。図６は従来の電子機器のケースの例を一部分解した斜視図を示す。
【０００６】
ケース１は，ケース本体２と，このケース本体２にかぶせるカバー４とを備え，高周波回路基板５を収納する枠体３と，電源回路基板６とをケース本体２の内面側に収納するよう構成されている。ケース１は図１の右上方向を上側に，左下方向を下側にして，周知のアンテナ取付用の支柱や，配電ボックス奥の板壁面などに取付けられるものである。
ケース本体２は，長方形の背面板部２１の長手方向各縁に側板部２２を，上方及び下方の各側縁に天板部２３，底板部２４をそれぞれ立設した前面開口の箱状に形成されており，その材料は，例えばアルミダイカスト，導電性を有する合成樹脂製材料，もしくは，表面に導電性材料をメッキ又は塗布した合成樹脂製材料等の導電性を有する材料で形成されている。また，背面板部２１の周縁には，カバー４の開口端縁を当接するつば部２５が形成され，底板部２４には，枠体３に取付けられたＦ型接栓を突出するための複数の接栓突出孔２６が形成されている。２７は下カバー４２を固定するためのねじ孔，２８はブースターを壁面に取付けるためのネジ挿通用の切欠き部，２９は背面板部２１の内面側に設けられた凹溝であり，ＡＣコード７の収納用として，ケース本体２の底板部２４から電源回路基板６の方向に形成されている。
【０００７】
枠体３は，図４、図５に表れているように高周波回路基板５の外形形状に対応し，高周波回路基板５の周囲を囲む状態で配置され、前面と背面とを開口した枠状に形成されたもので，アルミ，銅，鉄板などの導電性のよい材料を用いてプレス加工されたものである。３３は枠体３の底板部であり，Ｆ型接栓３４が固定されている。Ｆ型接栓３４の固定方法は，ナットを用いても良いし，圧入により固着する方法でもよく，方法は問わない。尚，本願ではＦ型接栓３４が枠体３に固定されている例を示しているが，Ｆ型接栓３４を高周波回路基板５に固定する方法でも良い。
３１，３２は枠体３の側板部であり，側板部３１，３２には複数個の突出し部３ｄが設けられ，高周波回路基板５は突出し部３ｄに枠体３の前面側から載置された後，高周波回路基板５のアースと突出し部３ｄとが半田付けで固着され，これによって高周波回路基板５のアースと枠体３は電気的にも導通する。高周波回路基板５を収納した枠体３は，枠体３に固着されたＦ型接栓３４の先端がケース本体２の接栓突出孔２６から突出する状態としてケース本体２に取付けられる。この時ケース本体２の内面側には，枠体３の背面側の開口端３６に相対するよう形成された凹溝２ｂが設けられており，枠体３は前記凹溝２ｂに嵌合するよう取付けられる。
ケース本体２は，上述したように，例えばアルミダイカスト，導電性を有する合成樹脂製材料，もしくは，表面に導電性材料をメッキ又は塗布した合成樹脂製材料等の導電性を有する材料で形成されているので，枠体３とケース本体２は電気的に導通する。また，側板部３１には複数個の取付片３ａが形成されており，枠体３は，前記取付片３ａに形成されたネジ孔３ｂと，ケース本体２の背面板部２１上の取付部２ｃに設けられたネジ孔に，取付ネジ３ｃでネジ止めすることにより固定される。
尚，本願の実施例では前記取付片３ａが枠体３の側板部３１に形成された例を示しているが，側板部３１ばかりでなく，側板部３２にも取付片３ａを形成するとともに，ケース本体２の背面板部２１上の，前記側板部３２に形成した取付片３ａと相対する位置に取付部２ｃを設けて，枠体３をケース本体２にネジ止めすることで固定するようにしてもよい。以上により，高周波回路基板５のアースと，枠体３と，ケース本体２とが電気的に導通し，高周波回路基板５の裏面側がシールドされる。尚，高周波回路基板５と枠体３の固定方法は半田付けの例を示しているが，枠体３に取付片を設け，高周波回路基板５を枠体３にネジ止めしても良い。
【０００８】
カバー４は，図１に示すように，回路基板ごとにメンテナンスを行うことができるように，電源回路基板６を覆う上カバー４１及び高周波回路基板５を覆う下カバー４２から構成される。下カバー４２は長方形の前板部４２ａの相対向する１組の側縁に側板部４２ｂを形成した略断面コ字状に，導電性を有する合成樹脂製材料，もしくは，導電性材料をメッキ又は塗装した合成樹脂製材料等で形成されている。そして，ケース本体２にかぶせたときに，下カバー４２の各側板部４２ｂの内面側がケース本体２の側板部２２の外面側に密着するとともに，側板部４２ｂの端縁がケース本体２のつば部２５上に密着し，防水を図る。４２ｄは，下カバー４２をケース本体２に固定する取付ネジであり，ケース本体２に設けられたネジ孔２７にねじ込むことで下カバー４２をケース本体２に固定する。尚，下カバー４２は，ケース本体２の側板部２２に設けられた蝶番部２ａを支点として，取付ネジ４２ｄ側が前方へ開閉を可能に取付けられている。
下カバー４２の前板部４２ａの内面側には，枠体３の前面側の開口端３５の形状に相対した凹溝４２ｅが，下カバー４２と一体に形成されており，下カバー４２をケース本体２に取付ネジ４２ｄで固定したときに，枠体３の前面側の開放端と，前記凹溝４２ｅとが嵌合するよう構成されている。この時、下カバー４２は，上述したように導電性を有する合成樹脂製材料，もしくは，導電性材料をメッキ又は塗装した合成樹脂製材料等で形成されているので，下カバー４２と枠体３とは電気的に導通し，これにより高周波回路基板の表面側が下カバー４２によってシールドされる。
上カバー４１は，長方形の天板部４１ｃの側縁の内，相対抗する１組の側縁に側板部４１ｂを，前縁に前板部４１ａをそれぞれ形成し、背面及び下面が開口した箱状に合成樹脂製材料で射出成型されている。
そして，図５に表れているようにケース本体２に被せたときに，各側板部４１及び天板部４１ｃの内面側がケース本体２の側板部２２及び天板部２３の外面側に密着するとともに，側板部４１ｂの縁端がケース本体２のつば部２５上に密着し防水が図られている。上カバー４１の開口した下面の周縁４１ｄは，下カバー４２に形成されたつば部４２ｃ上に密着し，上カバー４１と下カバー４２との境界から雨水が浸入しないよう構成されている。
【０００９】
このように，ケース本体２及び下カバー４２が，例えばアルミダイカスト，導電性を有する合成樹脂製材料，もしくは，表面に導電性材料をメッキ又は塗布した合成樹脂製材料等の導電性を有する材料で形成され，上カバー４１も合成樹脂材料で形成されているので，錆びの発生もない。また，蝶番部２ａも合成樹脂製であるため，下カバー４２が開閉不可能となることもない。
また更に，カバー４が合成樹脂材料で形成されているため，金属性ケースに比べて軽量化がはかれ，支柱や配電ボックス奥の板壁面への取付作業が容易となる。高周波回路基板５を収納するシールドケースは，図６に示す従来例のシールドケース８のようにユニット化することなく，枠体３を形成するだけでよく，枠体３の前面及び背面側の開口端は下カバー４２，ケース本体の内面側に設けられた，枠体３の開口端との形状と相対した大きさの凹溝４２ｅ，２ｂと，枠体３とが嵌合することで，高周波回路基板５のシールドがはかれるので，ケースの軽量化がはかれ，メンテナンスも容易となる。
【００１０】
尚，図に示すのは一例であり，例えばケース本体２のつば部２５上にゴム，塩化ビニルなどで形成されたパッキン材を取付けて，防水対策に万全を期してもよい。また，更なるシールド性を求めるならばケース本体２と下カバー２の内面側に設けられた凹溝４２ｅ，２ｂに導電性パッキン材を取付けてもよいなど，適宜形状を変えて実施してもよい。さらに，この実施例のケースをミキサー，コンバーターなど，他の電子機器用として用いることもできる。
【００１１】
【発明の効果】
本発明によれば，前記電子機器ケース（１）は，前面が開口する状態の箱状ケース本体（２）と，ケース本体（２）の前面の開口面にかぶせ付けるカバー（４）とから構成してあるから、内部の高周波回路基板（５）を雨水から守ることが出来るは勿論のこと、
高周波回路基板（５）の周囲は、前面側と背面側を開口した電気的に導通可能な材料で形成された枠体（３）で囲まれており、しかも、
高周波回路基板（５）の背面側は、その背面側に位置することになるケース本体（２）の背面板部（２１：導電性を有する材料製）の内面側に対して枠体（３）の開口端が電気的に導通され、
さらに、高周波回路基板（５）の前面側は、箱状のケース本体（２）の前面開口部に対してカバー（４）を被せ付けることにより、閉ざされるカバー（４）の前板部（４２ａ）における導電性を有する材料製の内面側に枠体（３）の前面側の開口端（３５）が電気的に導通されることになるので、ケース本体（２）の前面開口部に対してカバー（４）を被せ付けた常態のときには、上記高周波回路基板（５）の全周はシールドされる効果がある。
【００１２】
その上本発明にあっては、上記のように高周波回路基板（５）の全周がシールドされるものであっても、メンテナンスの時、単純に、ケース本体（２）の前面にあるカバー（４）を開くだけで、高周波回路基板（５）の前面を開放することが出来るので、直ちに高周波回路基板（５）のメンテナンスに着手することのできる作業の迅速性を高める効果がある。
このことは、メンテナンス完了の時、カバー（４）を閉じるだけで、上記高周波回路基板（５）の全周のシールドと、ケース本体（２）の前面を閉じる操作を同時に行うこともでき、この点からも作業の迅速性を高める効果がある。
【００１３】
更に本発明にあっては、高周波回路基板（５）の全周のシールドは、ケース内における枠体（３）と、ケース本体（２）の背面板部（２１）の内面側と、カバー（４）の前板部（４２ａ）の内面側とで行うものであるから、箱状のケース本体（２）の前面開口部と、その前面開口部に対して被せ付けるカバー（４）との合着部には、当然のことながら「シールド」に対する配慮の必要性は無く、防水効果に対する配慮のみで足り、合着部の構成を簡易にできる構造上の効果もある。
【図面の簡単な説明】
【図１】電子機器ケースとして例示するテレビ共同受信用のブースターを一部分解した斜視図を示す。
【図２】テレビ受信用ブースターの斜視図を示す。
【図３】高周波回路基板を納めた枠体の斜視図を示す。
【図４】図２に置けるＡ−Ａ'の断面図を示す。
【図５】図２に置けるＢ−Ｂ'の断面図を示す。
【図６】電子機器のケースとして例示する，従来のテレビ共同受信用のブースターを一部分解した斜視図を示す。
【符号の説明】
１…ケース，２…ケース本体，２ａ…蝶番部，２ｂ…凹溝，２１…背面板部，２２…側板部，２３…天板部，２４…底板部，２５…つば部，２６…接栓突出孔，２７…ネジ孔，２８…切欠き部，２９…凹溝，３…枠体，３ａ…取付片，３ｂ…ネジ孔，３ｃ…取付ネジ，３ｄ…突出し部，３１…側板部，３２…側板部，３３…底板部，３４…Ｆ型接栓，３５…開口端，３６…開口端，４…カバー，４１…上カバー，４１ａ…前板部，４１ｂ…側板部，４１ｃ…天板部，４１ｄ…周縁，４１ｅ…壁面取付部，４２…下カバー，４２ａ…前板部，４２ｂ…側板部，４２ｃ…つば部，４２ｄ…取付ネジ，４２ｅ…凹溝，５…高周波回路基板，６…電源回路基板，７…ＡＣコード，８…シールドケース，９…壁面取付板。
【図１】
0003977677.tif 000002
【図２】
0003977677.tif 000003
【図３】
0003977677.tif 000004
【図４】
0003977677.tif 000005
【図５】
0003977677.tif 000006
【図６】
0003977677.tif 000007